(57)【特許請求の範囲】
【請求項１】
送信元である他局から自局宛の無線通信信号または自局宛でない無線通信信号を受信する受信手段と、
他局への無線通信信号を送信する送信手段と、
前記受信手段で受信した前記無線通信信号に含まれる前記送信元に関する識別情報を抽出する抽出手段と、
前記抽出手段にて抽出した前記送信元に関する識別情報を格納する格納手段と、
前記格納手段に格納された前記送信元に関する識別情報を基に通信フレームを生成する生成手段と、
前記生成手段に対して、送信用の通信フレームを生成するための通信フレーム生成指示を与える指示手段と、
を備え、
前記受信手段にて受信した無線通信信号が自局宛の無線通信信号ではなく、その一連の交信が終了した後に、その送信元である他局と交信したい場合には、
オペレータが前記指示手段を操作すると、
前記抽出手段では、自局宛でない無線通信信号に含まれる前記送信元に関する識別情報を抽出させ、
前記格納手段では、前記抽出手段にて抽出した前記送信元に関する識別情報を格納させ、
前記生成手段では、前記格納手段に格納された前記送信元に関する識別情報を用いて送信用の通信フレームを生成させ、
前記送信手段では、前記生成手段で生成した送信用の通信フレームを前記送信元宛に送信させ得るように構成したことを特徴とする無線通信機。
【請求項２】
送信元である他局から自局宛の無線通信信号または自局宛でない無線通信信号を受信する受信手段と、
他局への無線通信信号を送信する送信手段と、
前記受信手段で受信した前記無線通信信号に含まれる前記送信元に関する識別情報を抽出する抽出手段と、
前記抽出手段にて抽出した前記送信元に関する識別情報を格納する格納手段と、
前記格納手段に格納された前記送信元に関する識別情報を基に通信フレームを生成する生成手段と、
前記格納手段に格納した識別情報が複数の場合には、それらの複数の識別情報を一覧表示する表示手段と、
前記格納手段に格納した識別情報が複数の場合には、一覧表示された識別情報の中から使用する識別情報を１つ選択する選択手段と、
前記生成手段に対して、送信用の通信フレームを生成するための通信フレーム生成指示を与える指示手段と、
を備え、
前記受信手段にて受信した無線通信信号が自局宛の無線通信信号ではなく、その一連の交信が終了した後に、その送信元である他局と交信したい場合には、
オペレータが前記指示手段を操作すると、
前記抽出手段では、自局宛でない無線通信信号に含まれる前記送信元に関する識別情報を抽出させ、
前記格納手段では、前記抽出手段にて抽出した前記送信元に関する識別情報を格納させ、
前記格納手段に複数の識別情報が格納されていた場合には、前記表示手段でそれらの複数の識別情報を一覧表示させ、
オペレータが前記選択手段を操作して一覧表示された識別情報の中から使用する識別情報を１つ選択すると、
前記生成手段では、前記選択された１つの識別情報を用いて送信用の通信フレームを生成させ、
前記送信手段では、前記生成手段で生成した送信用の通信フレームを前記送信元宛に送信させ得るように構成したことを特徴とする無線通信機。
【発明の詳細な説明】
【技術分野】
【０００１】
本発明は、無線局間で無線通信を行う際に、無線局識別情報の設定を必要とする無線通信システムに関するものである。
【背景技術】
【０００２】
無線通信システムの中には、無線通信を行う場合に無線局識別情報（必要であれば他の情報も含む。）等の識別情報の設定を必要とするものがある。この識別情報の無線通信システムへの設定は、通常は手入力で行われる。
また、無線通信機を用いて通信を行う場合、近距離（無線通信機の送信パワー範囲内）であれば、無線通信機どうしで相手局と直接通信を行うことができるが、無線通信機どうしで直接通信できない距離にある無線通信機との間で通信を行うには、中継局を介した通信を行う必要がある。
このように無線通信を行う場合に無線局識別情報や他の情報を必要とする無線通信システムにおいて、中継局を介した通信を行うには、自局の識別情報に加えて、利用する中継局の識別情報と相手局の識別情報とを設定することが必要になる。そして、複数の中継局を経由して相手局と通信する場合には、経由する複数の中継局の識別情報の設定も必要となる。したがって、このような場合には、自局の識別情報、相手局の識別情報、および経由する複数の中継局の識別情報を設定する必要がある。
これらの無線通信を確立するために必要な情報設定も通常は手入力で行われる。
【発明の開示】
【発明が解決しようとする課題】
【０００３】
しかし、従来のように、自局の識別情報や相手局の識別情報の設定、もしくは、さらに経由する複数の中継局の識別情報の設定を、手入力で行うことは、入力のための操作量が多くなり入力作業が非常に面倒であるという問題がある。
また、各種の識別情報を手入力で設定することは、誤入力の危険性がある。誤入力すると望む無線局との無線通信を行うことができなくなるという問題がある。
【０００４】
さらに、現在は受信中ではあるが自局に宛てられたものではなく他局宛の受信信号の送信元である無線局に対して、その送信元の無線局と他局との交信が終了した時点で、その送信元の無線局との交信を望む場合には、その送信元の無線局の識別情報などの必要となる全ての識別情報を自局の無線通信システムに入力して通信フレームを作成しなければならない。しかし、通信フレームを手入力で作成している間に、前記送信元の無線局のオペレータが無線通信機の傍らから離れてしまうと、通信フレームを送信したにも関わらず、望んだ通信ができなくなるといった不都合が生じる。
なお、通信フレームは、少なくとも、送信元無線局と送信先無線局との間で通信を確立するために必要な情報と、実際の通信データとを含んだものである。
【０００５】
なお、特許文献１には、識別コード記憶装置を設け、ここにあらかじめ自局に割り当てられた識別情報を格納しておき、これにより、制御部は、少なくとも交信開始時点で最初に送信される信号と、交信終了時点で最後に送信される信号に、前記自局の識別情報が挿入されるようにし、このとき、電波の発射の終わりに送信すべき識別情報の送信開始タイミングを遅延させるようにする技術が開示されている。しかしながら、この技術では、あらかじめ判明している情報（自局の識別情報）のみを格納して利用しているのみであるので、あらかじめは判明していない不特定（未定）である相手局の識別情報は、手入力せざるを得ないという問題がある。
【０００６】
また、特許文献２には、
相手局からの受信信号に相手局の位置データが含まれていると判断すると、この位置データを取得して、メモリに方向指示データとして格納して表示部で表示し、この方向指示データを用いてオペレータは指向性アンテナの方向操作を行う技術が開示されている。
しかしながら、受信信号に含まれる相手局に関する情報を取得してはいるが、これを用いて通信フレームを自動的に生成するものではない。
【０００７】
【特許文献１】特開平７−２３１２７５号
【特許文献２】特開平８−１７２３７２号
【０００８】
本発明は、受信信号に含まれる無線局の識別情報（必要であれば他の情報も含む。）を自動的に抽出し、この抽出した識別情報を用いて、通信フレームを自動的に生成することによって、通信フレームを生成するための作業を軽減し、極短時間で通信フレームの生成を可能とすることを目的としてなされたものである。
【課題を解決するための手段】
【０００９】
本発明にかかる無線通信機の請求項１においては、
送信元である他局から自局宛の無線通信信号または自局宛でない無線通信信号を受信する受信手段と、
他局への無線通信信号を送信する送信手段と、
前記受信手段で受信した前記無線通信信号に含まれる前記送信元に関する識別情報を抽出する抽出手段と、
前記抽出手段にて抽出した前記送信元に関する識別情報を格納する格納手段と、
前記格納手段に格納された前記送信元に関する識別情報を基に通信フレームを生成する生成手段と、
前記生成手段に対して、送信用の通信フレームを生成するための通信フレーム生成指示を与える指示手段と、
を備え、
前記受信手段にて受信した無線通信信号が自局宛の無線通信信号ではなく、その一連の交信が終了した後に、その送信元である他局と交信したい場合には、
オペレータが前記指示手段を操作すると、
前記抽出手段では、自局宛でない無線通信信号に含まれる前記送信元に関する識別情報を抽出させ、
前記格納手段では、前記抽出手段にて抽出した前記送信元に関する識別情報を格納させ、
前記生成手段では、前記格納手段に格納された前記送信元に関する識別情報を用いて送信用の通信フレームを生成させ、
前記送信手段では、前記生成手段で生成した送信用の通信フレームを前記送信元宛に送信させ得るように構成した。
そして、請求項２では、
送信元である他局から自局宛の無線通信信号または自局宛でない無線通信信号を受信する受信手段と、
他局への無線通信信号を送信する送信手段と、
前記受信手段で受信した前記無線通信信号に含まれる前記送信元に関する識別情報を抽出する抽出手段と、
前記抽出手段にて抽出した前記送信元に関する識別情報を格納する格納手段と、
前記格納手段に格納された前記送信元に関する識別情報を基に通信フレームを生成する生成手段と、
前記格納手段に格納した識別情報が複数の場合には、それらの複数の識別情報を一覧表示する表示手段と、
前記格納手段に格納した識別情報が複数の場合には、一覧表示された識別情報の中から使用する識別情報を１つ選択する選択手段と、
前記生成手段に対して、送信用の通信フレームを生成するための通信フレーム生成指示を与える指示手段と、
を備え、
前記受信手段にて受信した無線通信信号が自局宛の無線通信信号ではなく、その一連の交信が終了した後に、その送信元である他局と交信したい場合には、
オペレータが前記指示手段を操作すると、
前記抽出手段では、自局宛でない無線通信信号に含まれる前記送信元に関する識別情報を抽出させ、
前記格納手段では、前記抽出手段にて抽出した前記送信元に関する識別情報を格納させ、
前記格納手段に複数の識別情報が格納されていた場合には、前記表示手段でそれらの複数の識別情報を一覧表示させ、
オペレータが前記選択手段を操作して一覧表示された識別情報の中から使用する識別情報を１つ選択すると、
前記生成手段では、前記選択された１つの識別情報を用いて送信用の通信フレームを生成させ、
前記送信手段では、前記生成手段で生成した送信用の通信フレームを前記送信元宛に送信させ得るように構成した。
【発明の効果】
【００１０】
本発明によれば、受信信号から抽出した識別情報を利用して通信フレームを自動的に生成することができるので、識別情報の入力作業が大幅に軽減される。また、識別情報の手入力を軽減できるので誤入力を防止することもできる。
さらに、自局に宛てられたものではなく他局宛の受信信号を受信したとき、その送信元の無線局と他局との交信が終了した時点で、その送信元の無線局との交信を望む場合でも、前記受信信号から必要な識別情報を抽出して利用して、その送信元の無線局に対する通信フレームを極短時間で生成できるので、前記送信元の無線局のオペレータが無線通信機の傍らから離れてしまう前に、通信フレームを送信でき、望んだ通信を実現できる可能性が高くなる。
【発明を実施するための最良の形態】
【００１１】
以下に、本発明にかかる無線通信機を、その実施の形態を示した図面に基づいて詳細に説明する。
図１において、
１は自局Ｓ１の無線通信機であって、この無線通信機１は、
他局Ｓ２からの無線通信信号を受信する受信手段２と、
他局Ｓ２への無線通信信号を送信する送信手段３と、
前記受信手段２で受信した無線通信信号に含まれる送信元に関する識別情報（送信元無線局識別情報）を抽出する抽出手段４と、
前記抽出手段４にて抽出した送信元に関する識別情報を格納する格納手段５と、
前記格納手段５に格納された送信元に関する識別情報を基に通信フレームを生成する生成手段６と、
前記生成手段６に通信フレーム生成指示を与える指示手段７と、
前記抽出手段４にて抽出して格納した識別情報が複数の場合には、それらの識別情報の中から使用する識別情報を選択する選択手段８と、
前記抽出手段４にて抽出して格納した識別情報が複数の場合には、それらの複数の識別情報を表示するとともに、すでに前記格納手段５に格納した過去の受信信号に基づいた識別情報や、前記選択手段８にて選択した識別情報等の情報を表示する表示手段９と、
を備えている。
【００１２】
前記抽出手段４においては、送信元に関する識別情報として、少なくとも他局Ｓ２の送信元無線局識別情報を抽出する。なお、他局Ｓ２と自局Ｓ１との距離が離れているため１つもしくは複数の中継局Ｔを介して通信しなければならないときには、送信元に関する識別情報として、送信元無線局識別情報の他に、前記１つもしくは複数の中継局Ｔの中継局識別情報も抽出する。さらに、他に無線通信を行うのに必要な情報を抽出するように構成することも可能である。
【００１３】
前記格納手段５においては、前記抽出手段４にて抽出した送信元無線局識別情報と中継局Ｔの中継局識別情報とを関連付けて格納する。前記格納手段５には、さらに、過去の受信信号から抽出した識別情報も格納でき、自局の無線局識別情報や自局が属する中継局Ｔの中継局識別情報等の無線通信を確立するために必要な情報は予め格納しておくことができる。また、予め無線通信を確立するために必要な自局の無線局識別情報や他の自局に関する情報を含んだ通信フレームを格納しておいてもよい。
また、前記格納手段５はバッファやＲＡＭ、フラッシュＲＯＭ等のメモリ等で構成される。
【００１４】
前記生成手段６は、たとえばプッシュスイッチなどで構成されている指示手段７が操作されると、前記格納手段５に格納された識別情報を読み出して通信フレームを生成する。このとき、自局宛でない現在受信中の送信元無線局との無線通信を希望する場合、前記受信中の通信フレームから送信元無線局に関する情報を取得して前記格納手段５に格納するとともに、前記取得した情報を用いて通信フレームを生成する。
また、前記抽出手段４で抽出された無線通信を確立するために必要な複数の送信元に関する情報が前記格納手段５に複数格納されていた場合には、それらの送信元無線局識別情報を前記表示手段９に一覧表示させ、前記選択手段８を用いて必要な識別情報を選択し、このようにして選択された識別情報を用いて通信フレームを生成する。
このとき予め格納された自局の無線局識別情報や自局が属する中継局Ｔの中継局識別情報などの無線通信を確立するために必要な情報と前記選択手段８で選択した無線通信を確立したい相手局に関する情報を、たとえば図３のような通信フレームのように、それぞれの情報を通信フレームフォーマットに従って挿入することにより通信フレームを生成することができる。また、予め無線通信を確立するために必要な自局の無線局識別情報や他の自局に関する情報を含んだ通信フレームを格納している場合は、前記選択手段８で選択した無線通信を確立したい相手局に関する情報を通信フレームフォーマットに従って挿入することにより通信フレームを生成することができる。
このようにして生成された通信フレームは、オペレータの指示を待って前記送信手段３によって他局への無線通信信号として送信される。
【００１５】
なお、前記抽出手段４における受信信号からの識別情報の抽出処理や、前記格納手段５による識別情報の格納処理は、何らかの受信信号を受信したことをトリガとして行っても良いし、オペレータによる何らかの操作をトリガとして行っても良い。
【００１６】
以上の構成により、オペレータは自局宛でない受信信号を受信し、その一連の交信が終了した後に、その送信元の他局と交信したい場合には、指示手段７を操作して格納手段５に格納されていた送信元無線局識別情報を読み出して生成手段６で通信フレームを即時に自動的に生成することができる。また、複数の識別情報が格納されていた場合には、表示手段９に一覧表示させて選択手段８で選択した識別情報を利用して通信フレームを自動的に生成することができる。
このように通信フレームを自動的に生成するので、手入力による面倒な作業が不要になるとともに、手入力による誤入力の危険性を排除することができる。
【実施例１】
【００１７】
図２に、４つの無線局と３つの中継局を含んだ通信形態の例を示した。
この図において、
中継局を介した無線通信の場合に、自局Ｓ１の無線局識別情報をＩＤs1，自局の属する中継局Ｔ１の中継局識別情報をＩＤt1，送信元の無線局（他局）Ｓ２の送信元識別情報をＩＤs2，送信元の無線局（他局）Ｓ２が属する中継局Ｔ２の中継局識別情報をＩＤt2，自局Ｓ１と同じ中継局Ｔ１に属する他局Ｓ３の送信先無線局識別情報をＩＤs3，別の他局Ｓ４が属する中継局Ｔ３の中継局識別情報をＩＤt3，別の他局Ｓ４の無線局識別情報をＩＤs4とすると、
送信元の無線機Ｓ２から自局Ｓ１でない他局の無線局Ｓ３への信号を受信した場合の受信信号Ａ１に含まれる各識別情報はたとえば以下のようなものである。
送信元の無線局Ｓ２の送信元無線局識別情報：ＩＤs2，
送信元の無線局Ｓ２が属する中継局Ｔ２の中継局識別情報：ＩＤt2，
送信先の他局Ｓ３の送信先無線局識別情報：ＩＤs3
送信先の他局Ｓ３が属する中継局Ｔ１の中継局識別情報：ＩＤt1
また、送信元の無線機Ｓ３から自局Ｓ１でない他局の無線局Ｓ４への信号を受信した場合の受信信号Ａ２に含まれる各識別情報はたとえば以下のようなものである。
送信元の無線局Ｓ３の送信元無線局識別情報：ＩＤs3，
送信元の無線局Ｓ３が属する中継局Ｔ１の中継局識別情報：ＩＤt1，
送信先の他局Ｓ４の送信先無線局識別情報：ＩＤs4
送信先の他局Ｓ４が属する中継局Ｔ３の中継局識別情報：ＩＤt3
これらの識別情報を含んだ通信フレームの例を図３に示した。
【００１８】
自局においては、上記の受信信号Ａ１を受信すると、抽出手段４は、通信フレームに含まれる送信元無線局識別情報である「ＩＤs2」および送信元の中継局識別情報である「ＩＤt2」を抽出する。抽出された「ＩＤs2」と「ＩＤt2」は関連付けられて格納手段５に格納される。
受信信号Ａ１から抽出した識別情報は、通信フレーム中の送信先無線局識別情報に「ＩＤs2」、送信先の中継局識別情報に「ＩＤt2」が自動的に設定される。そして、送信元無線局識別情報「ＩＤs1」や送信元の中継局識別情報「ＩＤt1」が予め格納されている場合は、これら格納されている情報が呼び出され、通信フレーム中の送信元無線局識別情報に「ＩＤs1」、送信先の中継局識別情報に「ＩＤt1」が自動的に設定される。また、送信元無線局識別情報に「ＩＤs1」、送信元の中継局識別情報「ＩＤt1」を挿入した通信フレームが予め格納されている場合は、この通信フレーム中の送信先無線局識別情報に「ＩＤs2」、送信先の中継局識別情報に「ＩＤt2」が自動的に設定される。このようにして送信用の通信フレームを自動的に生成するので、自局宛でない受信信号を受信した場合に、一連の交信が終了した後、その送信元無線局Ｓ２に直ちに通信フレームを送信することができる。
また、上記の受信信号Ａ２を受信すると、抽出手段４は、通信フレームに含まれる送信元無線局識別情報である「ＩＤs3」および送信元の中継局識別情報である「ＩＤt1」を抽出する。抽出された「ＩＤs3」と「ＩＤt1」は関連付けられて格納手段５に格納される。
受信信号Ａ２から抽出した識別情報は、上述の受信信号Ａ１から抽出した識別情報を利用して通信フレームを自動的に生成する場合と同様に、送信用の通信フレームを自動的に生成するので、自局宛でない受信信号を受信した場合に、一連の交信が終了した後、その送信元無線局Ｓ３に直ちに通信フレームを送信することができる。
また、前記受信信号Ａ１、Ａ２を受信してそれらに基づいた２つ（複数）の識別情報を格納手段５に格納していた場合には、複数の識別情報の中から、送信元無線局Ｓ２もしくはＳ３の何れかの識別情報を選択手段８で選択し、その識別情報を利用して通信フレームを送信することもできる。
【図面の簡単な説明】
【００１９】
【図１】本発明にかかる無線通信機の実施の形態である無線通信機の構成図である。
【図２】４つの無線局と３つの中継局を介在した通信形態の例を示した図である。
【図３】通信フレームの例を示した図である。
【符号の説明】
【００２０】
１  自局の無線通信機
２  受信手段
３  送信手段
４  抽出手段
５  格納手段
６  生成手段
７  指示手段
８  選択手段
９  表示手段
【図１】
0004566115.tif 000002
【図２】
0004566115.tif 000003
【図３】
0004566115.tif 000004